(57)【要約】【課題】動画を圧縮符号化して記録する装置においては記録画質に関わる符号化圧縮条件は多くの場合機器固有の数モードしか有していないため、必ずしも個々のユーザが所望する符号化圧縮条件になっていないが、しかしながら記録毎に符号化圧縮条件をユーザが任意に設定するのは困難である。【解決手段】過去に記録された動画の中からユーザが所望する画質を有する記録データを選択しそこから符号化圧縮条件を抽出して次回の記録時の符号化圧縮条件として設定することを可能にすることで個々のユーザが所望する符号化圧縮が実現することができる。【選択図】図１
2006109038.tif 000002
【特許請求の範囲】
【請求項１】
画像入力手段と、機器固有に予め備わっている一つまたは複数のモードにそれぞれ割り当てられた符号化圧縮条件を記憶しておくモード条件記憶手段と、前記モード条件記憶手段の中から一つの符号化圧縮条件を設定するためにモードを設定するモード設定手段と、ユーザが任意の符号化圧縮条件を設定できる任意条件設定手段と、符号化圧縮されている記録動画データから符号化圧縮条件を抽出する符号化圧縮条件抽出手段と、前記モード条件記憶手段もしくは前記任意条件設定手段もしくは前記符号化圧縮条件抽出手段から得られる符号化圧縮条件のうち一つを選択する選択手段と、前記選択手段の出力に応じて符号化圧縮条件を切り替える切替手段と、前記切替手段から供給される符号化圧縮条件により前記画像入力手段から供給される動画を符号化圧縮して記録動画データを生成する画像データ生成手段と、前記画像データ生成手段から出力される符号化圧縮された記録動画データと記録動画データを生成するときに使用された符号化圧縮条件を合わせて記録するデータ記録手段と、前記データ記録手段に符号化圧縮して記録されている記録動画データを伸張復号して再生画像を生成するデータ伸張復号手段と、前記データ伸張復号手段で生成された再生画像を表示する表示手段とを具備することを特徴とする画像記録再生装置。
【請求項２】
前記画像データ生成手段から出力される符号化圧縮された記録動画データと符号化圧縮された記録動画データを生成するときに使用された符号化圧縮条件を多重して記録データを生成する多重手段を具備することを特徴とする請求項１に記載の画像記録再生装置。
【請求項３】
前記符号化圧縮条件抽出手段から出力される符号化圧縮条件を調整する符号化圧縮条件調整手段を加えて具備することを特徴とする請求項１及び２に記載の画像記録再生装置。
【請求項４】
圧縮符号化条件として少なくとも記録する画像のフレームレートを含むことを特徴とする請求項１から３までに記載の画像記録再生装置。
【請求項５】
圧縮符号化条件として少なくとも符号化された記録データのビットレートを含むことを特徴とする請求項１から３までに記載の画像記録再生装置。
【発明の詳細な説明】
【技術分野】
【０００１】
本発明は動画を符号化圧縮して記録する画像記録再生装置において、すでに記録されている動画の中から個々のユーザが所望の画質を有した記録動画を選択し、選択された記録動画の記録動画データからそのデータが生成された符号化圧縮条件を抽出し、抽出された符号化圧縮条件を次回以降の記録における符号化圧縮条件に容易に反映できるようにすることでユーザが容易に過去に使用した符号化圧縮条件の下で記録することのできる画像記録再生装置に関するものである。
【背景技術】
【０００２】
従来の符号化圧縮して動画記録を行う画像記録再生装置では多くの場合記録画質を決める符号化圧縮条件は機器固有で数種類のモードしか選択できないのでユーザの自由度を著しく損ねている。これを解決する手段としてＪＰＥＧ２０００等のポスト量子化を行う場合に対してはポスト量子化条件をユーザが任意に設定でき、さらにポスト量子化された画像を復号して画質劣化を確認できる手段を設けることでポスト量子化における画質劣化を少なくする方法が提案されている。
【特許文献１】特開２００４−１６５７６０号公報
【発明の開示】
【発明が解決しようとする課題】
【０００３】
しかしながら、従来の技術では記録の度毎にポスト量子化条件を設定するのは煩雑である。また、ポスト量子化条件を保存しておく手段も提案されているが保存されているポスト量子化条件がどのような画像記録において決められたのかが不明であり、次回に記録したい画像に適した設定かどうか判断できない。
【課題を解決するための手段】
【０００４】
上記課題を解決するために本発明の請求項１の動画記録再生装置は画像入力手段と機器固有に予め備わっている一つまたは複数のモードにそれぞれ割り当てられた符号化圧縮条件を記憶しておくモード条件記憶手段と前記モード条件記憶手段の中から一つの符号化圧縮条件を設定するためにモードを設定するモード設定手段とユーザが任意の符号化圧縮条件を設定できる任意条件設定手段と符号化圧縮されている記録動画データから符号化圧縮条件を抽出する符号化圧縮条件抽出手段と前記モード条件記憶手段もしくは前記任意条件設定手段もしくは前記符号化圧縮条件抽出手段から得られる符号化圧縮条件のうち一つを選択する選択手段と前記選択手段の出力に応じて符号化圧縮条件を切り替える切替手段と前記切替手段から供給される符号化圧縮条件により前記画像入力手段から供給される動画を符号化圧縮して記録動画データを生成する画像データ生成手段と前記画像データ生成手段から出力される符号化圧縮された記録動画データと記録動画データを生成するときに使用された符号化圧縮条件を合わせて記録するデータ記録手段と前記データ記録手段に符号化圧縮して記録されている記録動画データを伸張復号して再生画像を生成するデータ伸張復号手段と前記データ伸張復号手段で生成された再生画像を表示する表示手段とを具備し、すでに記録されている動画記録からユーザが次回の記録において過去の記録で使用した符号化圧縮条件を容易に反映できることを特徴とするものである。
【０００５】
また、本発明の請求項２の画像記録再生装置は請求項１の動画記録再生装置に加えて前記画像データ生成手段から出力される符号化圧縮された記録動画データと符号化圧縮された記録動画データを生成するときに使用された符号化圧縮条件を多重して記録データを生成する多重手段とを具備し、すでに記録されている動画記録からユーザが次回の記録において過去の記録で使用した圧縮符号化条件を容易に反映できることを特徴とするものである。
【０００６】
また、本発明の請求項３の動画記録再生装置は請求項１及び２の動画記録再生装置に加えて前記符号化圧縮条件抽出手段から出力される符号化圧縮条件を調整する符号化圧縮条件調整手段とを具備し、前記符号化圧縮条件抽出手段から出力される圧縮符号化条件を調整することを特徴とするものである。
【０００７】
また、本発明の請求項４の動画記録再生装置は請求項１または２または３の動画記録再生装置において符号化圧縮条件として少なくとも記録する画像のフレームレートを含むことを特徴し、すでに記録されている動画記録からユーザが次回の記録において過去の記録で使用した圧縮符号化条件を容易に反映できることを特徴とするものである。
【０００８】
また、本発明の請求項５の動画記録再生装置は請求項１または２または３の動画記録再生装置において符号化圧縮条件として少なくとも記録する画像のビットレートを含むことを特徴し、すでに記録されている動画記録からユーザが次回の記録において過去の記録で使用した圧縮符号化条件を容易に反映できることを特徴とするものである。
【発明の効果】
【０００９】
本発明の動画記録再生装置は次回の記録シーンに類似した過去の動画記録データから符号化圧縮条件を抽出し、次回の記録における符号化圧縮条件として容易に反映できる手段を設けることで、個々のユーザが過去の類似した動画記録シーンと同様の画質を有した動画記録を実現することができる。
【発明を実施するための最良の形態】
【００１０】
本発明の請求項１に記載の発明は、画像入力手段と、機器固有に予め備わっている一つまたは複数のモードにそれぞれ割り当てられた符号化圧縮条件を記憶しておくモード条件記憶手段と、前記モード条件記憶手段の中から一つの符号化圧縮条件を設定するためにモードを設定するモード設定手段と、ユーザが任意の符号化圧縮条件を設定できる任意条件設定手段と、符号化圧縮されている記録動画データから符号化圧縮条件を抽出する符号化圧縮条件抽出手段と、前記モード条件記憶手段もしくは前記任意条件設定手段もしくは前記符号化圧縮条件抽出手段から得られる符号化圧縮条件のうち一つを選択する選択手段と、前記選択手段の出力に応じて符号化圧縮条件を切り替える切替手段と、前記切替手段から供給される符号化圧縮条件により前記画像入力手段から供給される動画を符号化圧縮して記録動画データを生成する画像データ生成手段と、前記画像データ生成手段から出力される符号化圧縮された記録動画データと記録動画データを生成するときに使用された符号化圧縮条件を合わせて記録するデータ記録手段と、前記データ記録手段に符号化圧縮して記録されている記録動画データを伸張復号して再生画像を生成するデータ伸張復号手段と、前記データ伸張復号手段で生成された再生画像を表示する表示手段とを具備するものである。
【００１１】
請求項２に記載の発明は、前記画像データ生成手段から出力される符号化圧縮された記録動画データと符号化圧縮された記録動画データを生成するときに使用された符号化圧縮条件を多重して記録データを生成する多重手段を具備するものである。
【００１２】
請求項３に記載の発明は、前記符号化圧縮条件抽出手段から出力される符号化圧縮条件を調整する符号化圧縮条件調整手段を加えて具備するものである。
【００１３】
請求項４に記載の発明は、圧縮符号化条件として少なくとも記録する画像のフレームレートを含むものである。
【００１４】
請求項５に記載の発明は、圧縮符号化条件として少なくとも符号化された記録データのビットレートを含むものである。
【００１５】
（実施の形態１）
図１は本発明の請求項１及び２の実施例を説明する為の画像記録再生装置のブロック図である。１０１は画像入力手段、１０２は指定された符号化圧縮条件を使用して画像入力手段１０１から入力される動画を符号化圧縮して符号化データを生成する画像データ生成手段，１０３は符号化された動画符号化圧縮データと符号化圧縮条件を合わせて記録するデータ記録手段、１０４はデータ記録手段１０３に記録されている記録動画データから符号化圧縮条件を抽出する符号化圧縮条件抽出手段、１０５は本動画記録再生装置にあらかじめ備わっている数種類の符号化圧縮モードを設定するモード設定手段、１０６はモード設定手段１０５で設定されたモード条件に対応した符号化圧縮条件を記憶しておくモード条件記憶手段、１０７は任意の符号化圧縮条件をユーザが設定することのできる任意条件設定手段、１０８はモード条件記憶手段１０６及び任意条件設定手段１０７及び符号化条件抽出手段１０４からそれぞれ出力される符号化圧縮条件の中からどれを使用するかを選択するための選択手段、１０９はモード条件記憶手段１０６及び任意条件設定手段１０７及び符号化圧縮条件抽出手段１０４からそれぞれ出力される符号化圧縮条件の中から選択手段１０８の出力の応じて切り替えて画像データ生成手段１０２に供給する切替手段、１１０はデータ記録手段１０３に符号化圧縮して記録されている記録動画データを伸張復号して再生画像を生成するデータ伸張復号手段、１１１はデータ伸張復号手段１１０で生成された再生画像を表示する表示手段である。また、図１の点線で表されるように画像データ生成手段１０２から出力される記録動画データと切替手段１０９から出力される符号化圧縮条件を独立してデータ記録手段１０３に供給するのではなく、データ記録手段１０３の前段に画像データ生成手段１０２から出力される画像符号化データと切替手段１０９から出力される符号化圧縮条件を多重化するための多重手段１１２を設け、多重化された符号化圧縮データをデータ記録手段に記録してもよい。
【００１６】
図２は図１で使用されている画像入力手段１０１の説明するブロック図の一例で、２０１は光学レンズ、絞り機構、シャッター機構などから構成される一般的な撮像光学系である。２０２は撮像素子で撮像光学系２０１により結像される光学像を色分解してから光量に応じた電気信号に変換する。２０３は撮像素子２０２の出力をサンプリングしてデジタル信号に変換するＣＤＳ，Ａ／Ｄ変換部であり、相関二重サンプリング（ＣＤＳ）回路とＡ／Ｄ変換回路で構成される。２０４はＣＤＳ，Ａ／Ｄ変換部２０３から入力される画像データに対するガンマ補正、ホワイトバランス調整、アパーチャ補正などの処理を行うデジタル信号処理部、２０５はオートフォーカス、自動露出調整、ホワイトバランス調整等に必要な情報を検出し調整を行う制御部である。
【００１７】
図３は本発明の請求項３の実施例を説明する為の画像記録再生装置のブロック図である。
３１３に符号化圧縮条件抽出手段３０４から出力される符号化圧縮条件に調整を加えることを可能とする符号化圧縮条件調整手段をさらに追加し、符号化圧縮条件調整手段３１３を通して符号化圧縮条件抽出手段３０４の出力を調整するような構成とする以外は各ブロックの役割は図１と同様である。
【００１８】
図１、２を用いて本発明の請求項１及び２について説明する。
【００１９】
まず図２を用いて画像入力装置の簡単な動作を説明する。まず、撮像光学系２０１に入射した光学信号は光学レンズ部を通り、制御部２０５の出力により絞り機構，シャッター機構が制御され光量調節される。光量調節された光学信号は撮像素子２０２上に結像され電気信号に変換される。変換された電気信号は撮像素子２０２の出力はＣＤＳ，Ａ／Ｄ変換部２０３でサンプリングされデジタル信号に変換される。変換されたデジタル信号はデジタル信号処理部２０４でガンマ補正，ホワイトバランス調整，アパーチャ補正などの処理を施される。制御部２０５ではオートフォーカス調整，自動露出調整，ホワイトバランス調整に必要な信号を検出しそれぞれの制御信号を撮像光学系２０１，デジタル信号処理部２０４に対して出力する。以上のような撮像光学系２０１、撮像素子２０２、ＣＤＳ，Ａ／Ｄ変換部２０３、デジタル信号処理部２０４、制御部２０５で動画データを取得する動作を行う部分が図１に示すところの画像入力手段１０１を構成している。また、制御部２０４の出力信号が図１の画像入力手段１０１の出力信号となる。
【００２０】
次に図１で画像入力手段１０１において前述のような処理を経た後、動画データが画像データ生成手段１０２に対して供給される。あらかじめユーザは過去に記録された記録動画データをデータ記録手段１０３に保存しておく。ユーザは動画記録開始前に記録される画質を決定するためモード設定手段１０５、任意条件設定手段１０７、符号化圧縮条件抽出手段１０４のどの符号化圧縮条件を用いるかを選択手段１０８を通して選択できる構成となっており、符号化圧縮条件抽出手段１０４から出力される符号化圧縮条件を使用するように選択しておく。その後ユーザが動画記録を開始操作を行うと符号化圧縮条件抽出手段１０４において符号化データ記録手段１０３に保存されている動画記録データから符号化圧縮条件が抽出される。ユーザが選択手段１０８によりあらかじめ符号化圧縮条件抽出手段１０４から供給される符号化圧縮条件を使用するように選択しているので符号化圧縮条件抽出手段１０４から供給される符号化圧縮条件が切替手段１０９を通して画像データ生成手段に供給される。
【００２１】
画像データ生成手段１０２では切替手段１０９から供給された符号化圧縮条件を用いて符号化圧縮を実行して記録動画データを生成しデータ記録手段１０３に供給する。一方、切替手段１０９から出力される符号化圧縮条件はデータ記録手段１０３にも供給される。データ記録手段１０３では供給された記録動画データと符号化圧縮条件を合わせて記録することで次回以降の記録において今回の記録と同様の符号化圧縮条件を容易に反映できるように動画記録を行う。あらかじめデータ記録手段に保存しておいた符号化圧縮条件抽出用の記録動画データは次回以降の記録では必要ないとユーザが判断する場合には今回または次回以降の記録で消されることがあってもよい。また、データ記録手段１０３に入力される前に画像データ生成手段１０２から供給される記録動画データと切替手段１０９から供給される符号化圧縮条件は多重手段１１２において多重化された後、データ記録手段１０３に供給され記録されてもよい。以上のような構成をとることで過去の動画記録で使用された符号化圧縮条件を次回以降の動画記録に容易に反映できる。
【００２２】
（実施の形態２）
図３により本発明の請求項３で付加された部分について説明する。図３の構成要素の３０１から３１２までの各ブロックは図１の構成要素の１０１から１１２までの各ブロックと同様の機能を有する。符号化圧縮条件調整手段３１３は符号化圧縮条件抽出手段３０４で抽出された符号化圧縮条件を調整するためのユーザインターフェース手段である。符号化圧縮条件調整手段３１３を設けることで過去の動画記録で使用された符号化圧縮条件を次回以降の動画記録に容易に反映し、かつその符号化圧縮条件にたいして調整を加えることも容易に可能となる。
（実施の形態３）
図１及び４を用いて実際の動作ステップを説明する。ユーザは実際に記録を開始する前に記録データ設定ステップ４０１を行っておく必要がある。具体的には、過去に記録した動画記録データの中から次回の記録に際して使えそうな記録動画データを記録動画を見て選択し、データ記録手段１０３に保存する手順を行っておく。また、ユーザはモード条件記憶手段１０５、任意条件設定手段１０７、符号化圧縮条件抽出手段１０４からそれぞれ出力される符号化圧縮条件の中から符号化条件抽出手段１０４から出力される符号化圧縮条件を使用するように選択手段１０８を通して選択する手順、すなわち符号化圧縮条件選択ステップ４０２を行っておく必要がある。
【００２３】
以上の２つのステップを行った後、ユーザは機器で指定された記録開始操作、例えば記録開始スイッチの押下、を行い記録開始ステップ４０３を実行させる。ユーザが記録開始ステップ４０３に該当する操作を行わない限り機器は記録開始ステップが実行可能な状態で待機しておく。ユーザが記録開始ステップ４０３を実行すると符号化圧縮条件抽出ステップ４０４に移りデータ記憶手段１０３に保存されている記録動画データから符号化圧縮条件の抽出を行う。この符号化圧縮条件抽出ステップ４０４は必ずしも記録開始ステップ４０３の後に行われる必要はなく、たとえば電源投入後、データ記憶手段１０３のデータ有無チェック等の他の操作をトリガとして行われてもよい。
【００２４】
符号化圧縮条件抽出ステップ４０４の実行後、抽出された符号化圧縮条件が画像データ生成手段１０２に供給されて画像データ生成ステップ４０５に移り、供給された符号化圧縮条件を使用して記録動画データが生成される。画像データ生成ステップ４０５で記録動画データが生成されるとデータ記録ステップ４０６において本記録データから符号化条件が抽出できるように生成された記録動画データと符号化圧縮条件が合わせてデータ記憶手段１０３に記録される。
【００２５】
画像データ生成ステップ４０５及びデータ記憶ステップ４０６はユーザが機器で指定された記録停止操作、例えば記録停止スイッチの押下、を行わない限り連続的もしくは間欠的に繰り返し実行される。ユーザが機器で指定された記録停止の操作を行うとデータ記録ステップ４０６終了後、記録停止ステップに移り動画記録を停止する。以上のようなステップを実行することで過去の動画記録で使用された符号化圧縮条件を次回以降の動画記録に容易に反映できる。
【産業上の利用可能性】
【００２６】
本発明の動画記録再生装置はすでに記録されている記録動画データの中からユーザが所望の画質を有した記録動画を選択し、選択された記録動画の記録動画データからそのデータが生成された符号化圧縮条件を抽出し、抽出された符号化圧縮条件を次回以降の記録における符号化圧縮条件に容易に反映できるようにすることでユーザが容易に過去に使用した符号化圧縮条件の下で記録を行うことができる点で有用である。
【図面の簡単な説明】
【００２７】
【図１】本発明の実施の形態における画像記録再生装置の構成を示すブロック図
【図２】本発明の実施の形態における画像記録再生装置の構成を示すブロック図
【図３】本発明の実施の形態における画像記録再生装置の構成を示すブロック図
【図４】同実施の形態の動作を示すフローチャート
【符号の説明】
【００２８】
１０１，３０１    画像入力手段
１０２，３０２    画像データ生成手段
１０３，３０３    データ記録手段
１０４，３０４    符号化圧縮条件抽出手段
１０５，３０５    モード設定手段
１０６，３０６    モード条件記憶手段
１０７，３０７    任意条件設定手段
１０８，３０８    選択手段
１０９，３０９    切替手段
１１０，３１０    データ伸張復号手段
１１１，３１１    表示手段
１１２，３１２    多重手段
２０１    撮像光学系
２０２    撮像素子
２０３    ＣＤＳ、Ａ／Ｄ変換部
２０４    デジタル信号処理部
２０５    制御部
３１３    符号化圧縮条件調整手段
【図１】
2006109038.tif 000003
【図２】
2006109038.tif 000004
【図３】
2006109038.tif 000005
【図４】
2006109038.tif 000006